(57)【要約】【課題】  本発明は、バラ積み貨物船において、ハッチとハッチとの間のクロスデッキ裏面の点検用固定足場を得ることを目的とする。【解決手段】  バラ積み貨物船のハッチとハッチとの間のクロスデッキ部分の裏面において、横隔壁の上部に、横隔壁の固定梯子から乗り移れ、反横隔壁側の端部に手摺を固定した固定足場部を設け、同横隔壁の上部で、固定足場部の両側に、適宜の間隔をおいてブラケットを設け、各ブラケットの反横隔壁側の端部に手摺を通し渡して固定すると共に、開いたときブラケットに接当して支持され、固定足場部と同じ高さとなり、畳んだとき横隔壁に沿って縦向きに保持される足場板を横隔壁に回動可能に取り付けた。【選択図】  図２
2006273037.tif 000002
【特許請求の範囲】
【請求項１】
バラ積み貨物船のハッチとハッチとの間のクロスデッキ部分の裏面において、横隔壁の上部に、横隔壁の固定梯子から乗り移れ、反横隔壁側の端部に手摺を固定した固定足場部を設け、同横隔壁の上部で、固定足場部の両側に、適宜の間隔をおいてブラケットを設け
、各ブラケットの反横隔壁側の端部に手摺を通し渡して固定すると共に、開いたときブラケットに接当して支持され、固定足場部と同じ高さとなり、畳んだとき横隔壁に沿って縦向きに保持される足場板を横隔壁に回動可能に取り付けたことを特徴とするバラ積み貨物船の点検用固定足場。
【請求項２】
固定足場部と隣接する足場板の固定足場部側の下面に、足場板を畳んだとき固定足場部の側面の手摺となる回動手摺を設けたことを特徴とする請求項１記載のバラ積み貨物船の点検用固定足場。
【請求項３】
足場板同士を順次、固定足場部側から離れる足場板を上にしてオーバーラップさせるようにしたことを特徴とする請求項１記載のバラ積み貨物船の点検用固定足場。
【請求項４】
ブラケットの上面材を山高の正断面形状としたことを特徴とする請求項１記載のバラ積み貨物船の点検用固定足場。
【請求項５】
横隔壁に係止金具を取り付け、足場板の端部に係止フックを設け、該係止フックを係止金具に係止して足場板を縦向きに保持するようにしたことを特徴とする請求項１記載のバラ積み貨物船の点検用固定足場。
【発明の詳細な説明】
【技術分野】
【０００１】
本発明は、バラ積み貨物船の点検用足場に関するもので、特に、バラ積み貨物船において、ハッチとハッチとの間のクロスデッキ裏面の点検用固定足場に係わる。
【背景技術】
【０００２】
船舶においては、上甲板の裏面や船側および船底外板の内面には、船体縦方向の補強材としてガーダやロンジ材が設けられ、また、該ガーダやロンジ材とクロスして、高さ方向（船側）、あるいは、横方向（船底、上甲板）の補強材であるフロア材やビームが設けられている。
【０００３】
そして、縦方向と横方向の補強材は、互いに貫き通され、外板内面に、あるいは、補強材同士が溶接によって接合されている。
したがって、これらの補強材や各溶接個所は、定期的に、あるいは、必要に応じて点検する要がある。この点検にあたって、二重船殻構造とした船底部や船側部についてはアクセスし易いが、上甲板裏面の点検は非常に困難である。
【０００４】
上甲板裏面の点検にあたっては、上甲板裏面の補強材に仮設の足場を吊設し、該足場から点検する方法がよく知られている。あるいは、貨物倉内に設置された垂直梯子や貨物倉内に持ち込まれるポータブル梯子などを使用して点検することもあるが、これらの方法では大掛かりな準備作業を要すること、広域な面に対する確実な点検が困難であること、また、高所作業に対する安全面にも問題があった。
【０００５】
ところで、近年、経年劣化に伴う船舶の事故が増加しており、この事故による環境破壊が国際的な問題となっている。このため、国際海事機構ＩＭＯ（INTERNATIONAL  MARITIME  ORGANIZATION）において、船舶の年次検査・メンテナンスの重要性が論議され、その結果、随時点検が可能なように上甲板裏面への恒久的なアクセスが求められることとなった。つまり、上甲板裏面に点検用固定足場を設けることが必要となった。
【０００６】
特に、バラ積み貨物船は上甲板にハッチ、つまり、開口構造を有していることから、ハッチとハッチとの間のクロスデッキ裏面の充分な点検が必要である。
バラ積み貨物船の貨物倉構造は、図７、図８に概略断面を示すように、航行中の積荷のバランスを保つため、ハッチコーミング２より両舷側壁内板３、あるいは、側壁側に傾斜板４を設け、該傾斜板４と上甲板５と側壁内板３、あるいは、側壁とで囲まれる部分をトップサイドタンク６として形成したものが多い。なお、１は船体を示す。
【０００７】
このように、トップサイドタンク６を形成している構造のものでは、ハッチコーミング２の左右側方の上甲板５の裏面は、トップサイドタンク６内から点検することができる（例えば、特許文献１参照）。
しかし、船体１の前後方向におけるハッチとハッチとの間のクロスデッキ７部分については、その裏面をトップサイドタンク６内から点検することはできない。
【０００８】
また、図９に示すように、フレーム８に架け渡して支持されるグレーチング９と、フレーム８に支持される手摺１０とを、ブラケット１１を介して横隔壁１２の上部の両側に取り付け、クロスデッキ７裏面の点検用固定足場として設け、該固定足場から点検する方法が考えられる。
【０００９】
しかし、このような構成では、足場部にバラ積み貨物が堆積するため、足場部の強度をバラ積み貨物の堆積に耐えられる強度にしなければならないし、荷役の際にバラ積み貨物の直撃を受けやすく壊れる恐れがある。また、バラ積み貨物の堆積や貨物倉内の環境により腐食が進行しやすく、さらに、貨物倉内荷揚げ作業者に対し、堆積したバラ積み貨物、あるいは、足場そのものが落下する危険性がある。さらにまた、異なるバラ物を積載するときには、足場部の洗浄も必要になるなどの問題がある。
【００１０】
さらに、横隔壁１２の上部１２′をスツール構造としたものにおいて、該スツール部１２′をハッチコーミング２の位置まで広げ、クロスデッキ７の下面を覆ってしまう構成として、スツール部１２′内から点検する考えもあるが、その場合、かなりの積載貨物容積を減少することになるし、また、船殻材の重量が増加することになる。
【００１１】
【特許文献１】特開平９−３０１２６６号公報  （第２頁、図１、図２）
【発明の開示】
【発明が解決しようとする課題】
【００１２】
本発明は、上述のごとき問題点を解決したもので、足場部にバラ積み貨物が堆積するのを防止し、荷役時にバラ積み貨物が直撃するなどの影響をなくし、積載貨物容積を減少させることがないバラ積み貨物船のクロスデッキ裏面の点検用固定足場を得ることを目的とする。
【課題を解決するための手段】
【００１３】
バラ積み貨物船の点検用固定足場であって、ハッチとハッチとの間のクロスデッキ部分の裏面において、横隔壁の上部に、横隔壁の固定梯子から乗り移れ、反横隔壁側の端部に手摺を固定した固定足場部を設け、同横隔壁の上部で、固定足場部の両側に、適宜の間隔をおいてブラケットを設け、各ブラケットの反横隔壁側の端部に手摺を通し渡して固定すると共に、開いたときブラケットに接当して支持され、固定足場部と同じ高さとなり、畳んだとき横隔壁に沿って縦向きに保持される足場板を横隔壁に回動可能に取り付けた。
【００１４】
また、固定足場部と隣接する足場板の固定足場側の下面に、足場板を畳んだとき固定足場部の側面の手摺となる回動手摺を設けた。また、足場板同士を順次、固定足場部側から離れる足場板を上にしてオーバーラップさせるようにした。また、ブラケットの上面材を山高の正断面形状とした。また、横隔壁に係止金具を取り付け、足場板の端部に係止フックを設け、該係止フックを係止金具に係止して足場板を縦向きに保持するようにした。
【発明の効果】
【００１５】
クロスデッキ部分の裏面において、横隔壁に沿って、開いたときブラケットに接当して支持され、畳んだとき横隔壁に沿って竪向きに畳まれる足場板による点検用固定足場を設けたので、点検時に足場板を開いてクロスデッキ裏面の点検ができ、荷役時には足場板を畳むことによりバラ積み貨物の堆積を防止でき、バラ積み貨物が直撃するなどの影響をなくし、積載貨物容積を減少させることはない。
【００１６】
また、足場板を畳んだとき固定足場部の側面の手摺となる回動手摺を設けたので、固定梯子から固定足場部に乗り移るとき安全である。また、足場板同士を順次、固定足場部側から離れる足場板を上にしてオーバーラップさせたので、足場板がかってに畳まれることはない。また、ブラケットの上面材を山高の正断面形状としたので、ブラケット上に貨物が堆積するのを防げる。また、係止フックを係止金具に係止して足場板を、確実に縦向きに保持するようにした。
【発明を実施するための最良の形態】
【００１７】
以下、図示した本発明の最良の形態について説明する。図１は本発明を実施したバラ積み貨物船の概略横断面図、図２は本発明による点検用固定足場の斜視図、図３は固定足場部と足場板との関係を示す正面図、図４は足場板の取り付けを示す側断面図、図５は足場板のオーバーラップ部分の正断面図、図６はブラケットの正断面図である。
なお、図７、図８および図９に示した従来例の構造と同等の部分については同じ符号を付し、詳細な説明は省略する。
【００１８】
１３は船体１の横隔壁１２に固定されて設けられている固定梯子である。１４は固定梯子１３の周りに通行穴を形成した固定足場部であって、クロスデッキの裏面において横隔壁１２の上部に固定されている。該固定足場部１３の反横隔壁側には手摺１５が取り付けられている（図３参照、図２では省略している）。
【００１９】
１６は、前記固定足場部１４を挟んでその両側に、例えば、２〜３ｍ程度の適宜の間隔で横隔壁１２に設けられたブラケットである。ブラケット１６の反横隔壁側の端部には手摺の支柱が固定されており、各ブラケット１６を通し渡して手摺１７が固定されている。
【００２０】
１８は足場板であって、横隔壁１２に設けられたピンブラケット１９を介して、回動可能に横隔壁１２に取り付けられている。この足場板１８は開いたとき、ブラケット１６に接当して支持され、固定足場部１４と同じ高さになるようにしている。
足場板１８は、幅６０〜８０cm、長さ２ｍ〜３ｍ程度の大きさであり、平鋼板、あるいは、グレーチングなどが使用される。
【００２１】
固定足場部１４に隣接する足場板１８の、固定足場部１４側の下面には、足場板１８を開いたときは下面に位置しており、足場板１８を畳むと上方に起き上がって固定足場部１４の側面の手摺となる回動手摺２０が固定されている。
図５（Ａ）、（Ｂ）に示すように、足場板１８は、固定足場部１４の側から順次、手前側のものを下にしてオーバーラップするように構成されている。したがって、足場板１８は手前側のものから順次開かれるし、畳むときは奥側から畳むことになる。しかも、途中のものがかってに畳まれることがないようになっている。なお、オーバーラップする構成は奥側の足場板１８に丸棒などの簡単な邪魔片を装着する程度のものでもよい。
【００２２】
また、図４に示すように、固定足場部１４に隣接する足場板１８には畳んだ位置で、横隔壁１２に取り付けた係止金具２１に係止する係止フック２２を設けており、全ての足場板１８を畳んでから係止フック２２を係止金具２１に係止する。この係止フック２２を係止すると、足場板１８はオーバーラップしているので、かってに開くことがないようになっている。なお、横隔壁１２に取り付ける係止金具２１と係止フック２２は足場板１８ごとに設けてもよい。
【００２３】
図６に示すように、ブラケット１６の上面材を山高の正断面形状とすると、足場板１８を畳んでいるときに、ブラケット１６の上面に貨物が貯まるのを防ぐことができる。この場合、足場板１８の端面はブラケット１６の形状に合うように面取りした形状とする。また、山高形状は、円弧断面としてもよい。
【００２４】
本発明の構成は以上の通りである。したがって、点検時には作業員は、固定梯子１３から固定足場部１４に乗り移り、足場板１８を開く作業を行うが、固定足場部１４に乗り移るとき、固定足場部１４は手摺１５と回動手摺２０とで囲まれているので安全である。
なお、回動手摺２０は各足場板１８の下面にも取り付けることができる。この場合、足場板１８の開き、畳み途中での足場板１８の側面の手摺となり、足場板１８を開き、畳む作業をするときに安全である。
【００２５】
次いで、固定足場部１４上から手前の足場板１８の係止フック２２を外し、この足場板１８を開き、そして、開いた足場板１８上に移動して順次足場板１８を開いて行く。
固定梯子１３の両側の足場板１８を全て開くと、図１に示すごとくクロスデッキ部分の裏面において、左右の両トップサイドタンク６、６の間に、横隔壁１２に沿って点検用固定足場がセットされる。この点検用固定足場を通って点検作業が行われる。
【００２６】
点検終了後には、上記と反対に、奥側の足場板１８から順次畳んで行く、最後に固定足場部１４に隣接する足場板１８を畳むと、固定足場部１４の側面に回動手摺２０が起き上がってくる。そして、係止フック２２を係止金具２１に係止する。これによって、足場板１８は横隔壁１２に沿って上向きに畳まれた状態で保持される。
なお、上記の作業において、足場板１８を開き、畳む作業は作業員が手作業で行うが、横隔壁１２に滑車を取り付けておき、足場板１８の端部に固定したロープを介して行うと作業が楽である。
【図面の簡単な説明】
【００２７】
【図１】本発明を実施したバラ積み貨物船の概略横断面図。
【図２】本発明による点検足場の斜視図。
【図３】同正面図。
【図４】足場板の取り付けを示す側面図。
【図５】足場板のオーバーラップ部分を示す正断面図。
【図６】ブラケットの正断面図。
【図７】二重船側構造のバラ積み貨物船の概略構造を示す横断面図。
【図８】シングル船側構造のバラ積み貨物船の概略構造を示す横断面図。
【図９】固定足場の例を示す概略図。
【符号の説明】
【００２８】
１  船体                            ２  ハッチコーミング
３  側壁内板                        ４  傾斜板
５  上甲板                          ６  トップサイドタンク
７  クロスデッキ                    ８  フレーム
９  グレーチング                  １０  手摺
１１  ブラケット                    １２  横隔壁
１３  固定梯子                      １４  固定足場部
１５  手摺                          １６  ブラケット
１７  手摺                          １８  足場板
１９  ピンブラケット                ２０  回動手摺
２１  係止金具                      ２２  係止フック
【図１】
2006273037.tif 000003
【図２】
2006273037.tif 000004
【図３】
2006273037.tif 000005
【図４】
2006273037.tif 000006
【図５】
2006273037.tif 000007
【図６】
2006273037.tif 000008
【図７】
2006273037.tif 000009
【図８】
2006273037.tif 000010
【図９】
2006273037.tif 000011